(57)【要約】  ユーザグループのメンバーの経験のレポートを提供する方法は、グループの異なるメンバーに関連して取得された少なくともコンテンツデータアイテムから編集されるコンテンツデータ編集物を利用可能にし、グループの少なくとも１人のメンバーに関するデータを利用して、グループの少なくとも１人のメンバーに関する少なくとも１つの装置上に少なくとも１つのメッセージを出力することを含む。コンテンツデータ編集物の少なくとも一部は、装置が関連付けされている少なくとも１人のメンバーによって少なくとも１つのメッセージに応答して提供された情報に基づく。一実施例では、“家族ニュースレポート”シナリオが提案される。
2012526317.tif 000002
【特許請求の範囲】
【請求項１】
ユーザのグループのメンバーの経験のレポートを提供する方法であって、
前記グループの異なるメンバーに関連して取得された少なくともコンテンツデータアイテムから編集されるコンテンツデータ編集物を利用可能にするステップと、
前記グループの少なくとも１人のメンバーに関するデータを取得するステップと、
前記少なくとも１人に関するデータを利用して、前記グループの少なくとも１人のメンバーに関する少なくとも１つの装置上に少なくとも１つのメッセージを出力するステップと、
を有し、
前記コンテンツデータ編集物の少なくとも一部は、前記少なくとも１つの装置が関連する少なくとも１人のメンバーによって前記少なくとも１つのメッセージに応答して提供された情報に基づく方法。
【請求項２】
前記メンバーに関する少なくとも１つの装置上に少なくとも１つのメッセージを出力するのに利用されるデータは、前記メンバーから取得されたコンテンツデータアイテムと、前記コンテンツデータアイテムに関するメタデータとの少なくとも１つを含む、請求項１記載の方法。
【請求項３】
前記メッセージの提供前に、前記コンテンツデータアイテムと前記コンテンツデータアイテムに関するメタデータとの少なくとも１つを解析するステップを有する、請求項２記載の方法。
【請求項４】
前記少なくとも１つのメッセージに応答して提供される情報は、前記メンバーから取得されたコンテンツデータアイテムの少なくとも一部を含むコンテンツデータの一部を構成するのに利用される、請求項２記載の方法。
【請求項５】
前記構成された部分は、前記コンテンツデータアイテムの少なくとも一部に対応するデータと合成され、前記コンテンツデータ編集物がレンダリングシステムによって知覚可能な形式によりレンダリングされるときに一時的に少なくとも部分的にオーバラップするなどのため、前記コンテンツデータ編集物に含まれる、請求項４記載の方法。
【請求項６】
前記少なくとも１つのメッセージのコンテンツの少なくとも一部を決定するため、コンテンツデータアイテムと前記コンテンツデータアイテムに関するメタデータとの少なくとも１つを解析するステップを有する、請求項１記載の方法。
【請求項７】
前記グループの少なくとも１人のメンバーに関するデータは、前記少なくとも１人のメンバーにより行われた少なくとも１つの活動と、前記少なくとも１人のメンバーによりスケジュールされた少なくとも１つの活動との少なくとも１つの少なくとも特徴を表す情報を含む、請求項１記載の方法。
【請求項８】
前記メッセージは、前記活動の開始後の時点で提供される、請求項７記載の方法。
【請求項９】
レンダリングシステムによる知覚可能な形式によるリニア再生のためのフォーマットによって前記コンテンツデータ編集物を利用可能にするステップを有する、請求項１記載の方法。
【請求項１０】
前記取得されたコンテンツデータアイテムに含まれるデータの解析、前記取得されたコンテンツデータアイテムに含まれるデータに関するメタデータ、前記少なくとも１人のメンバーに関するデータを利用して前記少なくとも１人のメンバーに関する少なくとも１つの装置上に少なくとも１つのメッセージが出力されることに応答して前記少なくとも１人により提供される情報、前記グループのメンバー間の関係を表すデータ、及び前記少なくとも１つのコンテンツデータアイテムが受信された少なくとも１人のメンバーに関する少なくとも１つの装置上にメッセージを出力するのに利用されるデータの少なくとも１つに基づき、前記グループの異なるメンバーに関連して取得されたコンテンツデータアイテムから導出されるデータを整理することによって、前記コンテンツデータ編集物を生成するステップを有する、請求項１記載の方法。
【請求項１１】
人間のモデルに基づくデータによって前記コンテンツデータ編集物を拡張するステップを有する、請求項１記載の方法。
【請求項１２】
ユーザのグループのメンバーの経験のレポートを提供するシステムであって、
前記グループの異なるメンバーに関連して当該システムによって取得される少なくともコンテンツデータアイテムから編集されるコンテンツデータ編集物を構成する処理システムと、
知覚可能な形式によりレンダリングするため前記コンテンツデータ編集物を利用可能にするレンダリングシステムとのインタフェースと、
を有し、
当該システムは、
前記グループの少なくとも１人のメンバーに関するデータを取得し、
前記グループの少なくとも１人に関するデータを利用して、前記グループの少なくとも１人のメンバーに関する少なくとも１つの装置上に少なくとも１つのメッセージを出力し、
前記コンテンツデータ編集物の少なくとも一部を、前記少なくとも１つのメッセージに応答して前記少なくとも１人のメンバーにより提供される情報に基づくものにする、
よう構成されるシステム。
【請求項１３】
請求項１乃至１１何れか一項記載の方法を実行するよう構成される請求項１２記載のシステム。
【請求項１４】
情報処理機能を有するシステムに請求項１乃至１１何れか一項記載の方法を実行させることが可能な命令セットをマシーン可読媒体に搭載されるときに有するコンピュータプログラム。
【発明の詳細な説明】
【技術分野】
【０００１】
本発明は、ユーザグループのメンバーの経験レポートを提供する方法に関する。本発明はまた、ユーザグループのメンバーの経験レポートを提供するシステムに関する。本発明はまた、コンピュータプログラムに関する。
【背景技術】
【０００２】
ＷＯ００／７７６７Ａ２は、家族構成員間の通信を実現する家族情報管理システムを開示する。家族情報システムは、家族の構成員に関する情報を格納及び処理する中央制御モジュールを有する。中央制御モジュールは、特定の登録された家族に割り当てられる家族データファイルのデータベースを含む。家族データファイルは、好ましくは、各種インタフェース装置を介し何れかのネットワークを介しアクセス可能な１つの全体的な家族情報管理アプリケーションに統合される。中央制御モジュールは、複数のフォーマットで存在する情報の入力及び抽出を可能にするよう構成される。また、カスタマが家族の他の構成員のためオーディオ及びビデオメッセージ及びリマインダを残すことが可能であってもよい。家族情報システムは、ユーザインタフェースシステムを用いて関連する家族情報によって中央制御モジュールを更新し、家族構成員に各種関連する活動について通知する。ユーザインタフェースシステムは、ホームＰＣ、テレビ又は宅内スクリーンからの双方向接続、双方向無線又はセルラ通信を介しインターネットアクセスを利用してもよい。ユーザインタフェース装置はまた、家族構成員に重要イベントの状態に関するリマインダと共に、他の家族構成員により入力されたプランリアルタイム変更を中央制御モジュールから受信する機能を提供する。
【０００３】
既知のシステムの問題点は、それが主としてプラニングツールとして適したものであるが、家族構成員が各自の活動を通知し続けるのに利用可能な情報を収集するため、家族構成員からの自発的な送信に依拠することである。
【発明の概要】
【発明が解決しようとする課題】
【０００４】
関与しているという感覚を提供し、又は互いの生活において少なくとも通知するため、人々のグループが経験を共有することを可能にする上述されたタイプの方法、システム及びコンピュータプログラムを提供することが望ましい。
【課題を解決するための手段】
【０００５】
これは、ユーザのグループのメンバーの経験のレポートを提供する方法であって、前記グループの異なるメンバーに関連して取得された少なくともコンテンツデータアイテムから編集されるコンテンツデータ編集物を利用可能にするステップと、前記グループの少なくとも１人のメンバーに関するデータを取得するステップと、前記少なくとも１人に関するデータを利用して、前記グループの少なくとも１人のメンバーに関する少なくとも１つの装置上に少なくとも１つのメッセージを出力するステップとを有し、前記コンテンツデータ編集物の少なくとも一部は、前記少なくとも１つの装置が関連する少なくとも１人のメンバーによって前記少なくとも１つのメッセージに応答して提供された情報に基づく方法によって実現される。
【０００６】
グループの異なるメンバーに関連して取得された少なくともコンテンツデータアイテムから編集されたコンテンツデータ編集物を利用可能にすることによって、当該編集物がグループの複数のメンバーの経験に関する情報を共有するため、グループのメンバーは、所属の感覚を取得することができる。少なくとも１つのメッセージが少なくとも１人のメンバーに関する少なくとも１つの装置上に出力され、コンテンツデータ編集物の少なくとも一部が、少なくとも１つのメッセージに応答して少なくとも１人のメンバーにより提供された情報に基づくため、メンバーは、編集物に貢献するよう促される。これは、経時的に生成されたコンテンツデータ編集物が、そうでない場合にメンバーがシステムを利用してアクセスし続ける興味を失い機能を維持することを保障する。少なくとも１人のメンバーに関するデータを利用して、少なくとも１つのメッセージを少なくとも１人のメンバー、特に当該データが関連付けされるメンバーに関する少なくとも１つの装置上に出力することによって、該当する時間又はコンテンツにおいて促しが提供されることが保障できる。従って、より意義ある情報が、応答において取得される。これは、グループのメンバーが何れかにより共有していると思うハイライトに限定されない編集物を提供することに役立つ。本コンテクストでは、例えば、グループのあるメンバーに関するものであると知られている装置からデータが送信されたため、グループの１以上のメンバーの集合とのリンクを確立する情報が提供された場合、データがユーザと関連付けされる。一般に、データを提供するのに利用されるデータは、グループの関連するメンバーによってコンテンツデータ編集物に含めるために送信されたコンテンツデータアイテムと、グループの１以上のメンバーに関する過去、現在又は将来の活動の少なくとも特徴を表すデータとの少なくとも１つである。
【０００７】
本方法の一実施例では、前記メンバーに関する少なくとも１つの装置上に少なくとも１つのメッセージを出力するのに利用されるデータは、前記メンバーから取得されたコンテンツデータアイテムと、前記コンテンツデータアイテムに関するメタデータとの少なくとも１つを含む。
【０００８】
本実施例では、コンテンツデータ編集物を提供するシステムは、本方法を利用して取得されたコンテンツデータアイテムの設定を提供する情報を取得することができる。特に、当該情報は、編集物においてコンテンツデータアイテムが配置されるべき位置を決定するのに利用可能である。あるいは、又はさらに、当該情報は、コメント、イントロダクション、キャプションなどによりコンテンツデータアイテムを拡張するのに利用可能である。
【０００９】
本実施例の一変形は、前記メッセージの提供前に、前記コンテンツデータアイテムと前記コンテンツデータアイテムに関するメタデータとの少なくとも１つを解析するステップを有する。
【００１０】
当該解析は、本方法を実行するシステムがメッセージをユーザに送信するかと共に、何れのメッセージタイプにするか決定するのに役立つ。第１のケースでは、メッセージ数が限定される。第２のケースでは、より有用な情報が取得され、システムが意味ある編集物を提供するのに役立つ。
【００１１】
さらなる変形では、前記少なくとも１つのメッセージに応答して提供される情報は、前記メンバーから取得されたコンテンツデータアイテムの少なくとも一部を含むコンテンツデータの一部を構成するのに利用される。
【００１２】
特に、当該情報は、コンテンツデータアイテムと合成され、又はメンバーから取得されたコンテンツデータアイテムが関連するさらなるコンテンツデータアイテムを検索するのに利用可能である。
【００１３】
一変形では、前記構成された部分は、前記コンテンツデータアイテムの少なくとも一部に対応するデータと合成され、前記コンテンツデータ編集物がレンダリングシステムによって知覚可能な形式によりレンダリングされるときに一時的に少なくとも部分的にオーバラップするなどのため、前記コンテンツデータ編集物に含まれる。
【００１４】
本変形では、メンバーの思考、感情又は経験などに関するコンテンツデータアイテムに関するコメントが、メンバーにより送信されたコンテンツデータアイテムの少なくとも一部に対応するデータに追加される。コンテンツデータ編集物が提供する経験のレポートは、グループの他のメンバーにとってより意味あるものとなる。
【００１５】
本方法の一実施例は、前記少なくとも１つのメッセージのコンテンツの少なくとも一部を決定するため、コンテンツデータアイテムと前記コンテンツデータアイテムに関するメタデータとの少なくとも１つを解析するステップを有する。
【００１６】
本実施例は、コンテンツデータアイテムと共に意味ある情報を返す少なくとも１つの関連する質問をユーザに提供する。例えば、メッセージは、ユーザが送信したデジタル写真に関するメタデータに示される日付にどこにいたかユーザに照会することができる。あるいは、直接的な画像解析のケースでは、メッセージは、ユーザがより多くの情報を提供することを促すため、写真に示されるシーンにおける特徴を利用可能である。
【００１７】
一実施例では、前記グループの少なくとも１人のメンバーに関するデータは、前記少なくとも１人のメンバーにより行われた少なくとも１つの活動と、前記少なくとも１人のメンバーによりスケジュールされた少なくとも１つの活動との少なくとも１つの少なくとも特徴を表す情報を含む。
【００１８】
本実施例は、システムを利用して経験を共有するグループの多くのメンバーが他人と共有すべきである経験とみなすことができないという問題を解決する。本実施例を利用して、メンバーには、メンバーが提供すべき特定の情報アイテムに対する具体的質問が提供可能である。例えば、観光旅行がある日付にスケジュールされている場合、本方法は、写真やホームビデオを送信する督促を自動的に提供する。
【００１９】
一変形では、前記メッセージは、前記活動の開始後の時点で提供される。
【００２０】
これは、督促が、イベントが行われる予定であるという督促でなく、イベントに関するコンテンツデータアイテムを送信するための督促として利用される。
【００２１】
本方法の一実施例は、レンダリングシステムによる知覚可能な形式によるリニア再生のためのフォーマットによって前記コンテンツデータ編集物を利用可能にするステップを有する。
【００２２】
本実施例は、多くのユーザがウェブサイトなどのコンテンツデータファイルの集まりをナビゲートするのに十分に技術的に精通していないという問題を解決する。知覚可能な形式によるリニア（すなわち、シーケンシャル）な再生のためのフォーマットは、コンテンツデータ編集物の受動的な精読を可能にする。ナビゲーションは不要である。コンテンツデータ収集物は、インターネットを介しストリーミングされるか、又はユーザグループに専用のテレビチャネルにより伝送可能である。
【００２３】
本方法の一実施例は、前記取得されたコンテンツデータアイテムに含まれるデータの解析、前記取得されたコンテンツデータアイテムに含まれるデータに関するメタデータ、前記少なくとも１人のメンバーに関するデータを利用して前記少なくとも１人のメンバーに関する少なくとも１つの装置上に少なくとも１つのメッセージが出力されることに応答して前記少なくとも１人により提供される情報、前記グループのメンバー間の関係を表すデータ、及び前記少なくとも１つのコンテンツデータアイテムが受信された少なくとも１人のメンバーに関する少なくとも１つの装置上にメッセージを出力するのに利用されるデータの少なくとも１つに基づき、前記グループの異なるメンバーに関連して取得されたコンテンツデータアイテムから導出されるデータを整理することによって、前記コンテンツデータ編集物を生成するステップを有する。
【００２４】
特に、コンテンツデータ収集物がレンダリングシステムによる知覚可能な形式によるリニア再生のためのフォーマットにより利用可能にされるケースでは、コンテンツデータアイテムはある順序に配置される必要がある。取得されたコンテンツデータに含まれるデータを解析することによって、関連する題材がこのような順序を確定するため、一緒にクラスタリング可能である。このようなタイプの解析は、テキストの意味的又はセマティッククラスタリング、視覚題材（イメージ、ビデオ）の顔認識、同じ声を有するオーディオ又はオーディオビジュアル題材を特定する音声解析などを含むことができる。同様に、取得されたコンテンツデータに含まれるデータに関するメタデータが、各種コンテンツデータアイテムに対応するデータをクラスタリングするのに利用可能である。例えば、題材又はジオタグの日時が、関連するコンテンツデータアイテムをクラスタリングするのに利用可能である。また、ユーザは、高い優先度を有する物としてコンテンツデータアイテムをタグ付けしてもよい（“ブレーキングニュース”）。グループの異なるメンバーに関連して取得されたコンテンツデータを順序づけるのに利用される解析が、少なくとも１人のメンバーに関するデータを利用して、少なくとも１人のメンバーに関する少なくとも１つの装置に出力される少なくとも１つのメッセージに応答して、少なくとも１人のメンバーにより提供される情報を解析することを含む場合、メッセージは、メンバーにより送信されるコンテンツデータアイテムをクラスタリングするための情報を取得するのに利用可能である。少なくとも１つのコンテンツデータアイテムが受信された少なくとも１人のメンバーに関する少なくとも１つの装置にメッセージを出力するのに利用されるデータがまた利用可能である。コンテンツデータアイテムがメッセージを発生させた情報とある関係を有することが予想されるためである。例えば、メンバーのカレンダーがメンバーがある日にある活動を行ったことを示すため、メッセージが生成される場合、その日付がメッセージに応答してメンバーにより送信されたイメージファイルと関連付けすることができる。最終的に、グループのメンバー間の関係を表すデータが、送信者の状態属性に従ってメンバーにより送信されたコンテンツアイテムを順序付けするのに利用可能である。メンバー間の社会的距離が、クラスタリング基準として利用可能である。
【００２５】
本方法の一実施例は、人間のモデルに基づくデータによって前記コンテンツデータ編集物を拡張するステップを有する。
【００２６】
このタイプのデータは、異なるメンバーからの部分の間の早急でない変更によってコンテンツデータ編集物を生成するのに利用可能である。人間のモデルは、コンテンツデータ編集物のタイプに応じてオーディオ及びビデオコンポーネントの１以上を含む。オーディオコンポーネントは、特にメンバーの１人や中立的なプレゼンタなどの人間の声を有する。コンテンツデータ編集物を利用可能にするシステムにより生成又は取得される情報は、音声出力のセマティックコンテンツを提供するのに利用可能であり、その後にそれは、メンバー又は中立的なプレゼンタのモデルを用いて特定の形式により提供される。このタイプの出力は、コンテンツデータ編集物の各部分の間の音声又はアナウンスメントとすることができる。同様に、人間のビデオコンポーネントは、一般にアバタである。一実施例では、アバタは、付加的なコメントを提供するため、コンテンツデータ編集物の一部のビデオコンポーネント上に重畳される。他の実施例では、アバタは、異なるメンバーに関連して取得される異なるコンテンツデータアイテムに対応する部分をブリッジするコンテンツデータ編集物の一部に提供される。
【００２７】
本発明の他の態様によると、ユーザのグループのメンバーの経験のレポートを提供するシステムであって、前記グループの異なるメンバーに関連して当該システムによって取得される少なくともコンテンツデータアイテムから編集されるコンテンツデータ編集物を構成する処理システムと、知覚可能な形式によりレンダリングするため前記コンテンツデータ編集物を利用可能にするレンダリングシステムとのインタフェースとを有し、当該システムは、前記グループの少なくとも１人のメンバーに関するデータを取得し、前記グループの少なくとも１人に関するデータを利用して、前記グループの少なくとも１人のメンバーに関する少なくとも１つの装置上に少なくとも１つのメッセージを出力し、前記コンテンツデータ編集物の少なくとも一部を、前記少なくとも１つのメッセージに応答して前記少なくとも１人のメンバーにより提供される情報に基づくものにするよう構成されるシステムが提供される。
【００２８】
本システムは、ユーザのグループの異なるメンバーからの入力に基づきコンテンツデータ編集物を自動編集し、当該入力は、コンテンツデータアイテムと、システムからメッセージに応答して提供された情報とを含む。それは、メンバーが意味ある入力を提供することを保障し、これにより、コンテンツデータ編集物は、それを視聴した人々にコミュニティの感覚を提供する。
【００２９】
一実施例では、本システムは、本発明による方法を実行するよう構成される。
【００３０】
本発明の他の態様によると、情報処理機能を有するシステムに本発明による方法を実行させることが可能な命令セットをマシーン可読媒体に搭載されるときに有するコンピュータプログラムが提供される。
【図面の簡単な説明】
【００３１】
【図１】図１は、ユーザグループのメンバーによる貢献から少なくとも部分的に編集されるオーディオビジュアルデータストリームを提供するシステムの概略図である。
【図２】図２は、グループのメンバーから貢献を取得するのに用いられる方法のフローチャートである。
【図３】図３は、グループのメンバーによる貢献に関する付加的情報を取得するのに用いられる方法のフローチャートである。
【発明を実施するための形態】
【００３２】
図１に示されるようなネットワークシステムの構成が、グループのメンバーが、特に家族の構成員が他のメンバーの最新の経験を維持することを可能にするため説明される。簡単化のため、他のタイプのグループのメンバー（企業の従業員、同じクラスの生徒など）が他のメンバーの経験を通知し続けるための技術を等しく利用可能であるという理解において、家族構成員が参照される。
【００３３】
後述されるシステムは、地理的に分散した家族構成員が他の構成員の最新の活動を維持するのを支援する。現代社会では、人々の個人的な独立性と忙しいスケジュールとが、家族との交流に対して負の効果を有することがあり、家族構成員は、多くの理由のため一緒にいることや頻繁な通信が制限されてもよい。特に、それは、成長した子供を持つ親が子供や孫の所在や経験を知ることを可能にする。それは、最小限の労力により親によってアクセス可能であって、ＳＭＳ（Ｓｈｏｒｔ  Ｍｅｓｓａｇｅ  Ｓｅｒｖｉｃｅ）、写真、ビデオスライドショーなどの通信方法と比較して、連結性の感覚を向上させるコンテンツデータの編集を提供する。それはまた、関連する時点及び頻繁な時点において電子メール、写真又はビデオなどのデータアイテムを家族構成員が送信することのみに依拠しない。代わりに、システムは、家族構成員をインタビューし、システムへのコンテンツの送信を促すことによって、家族のニュースをアクティブに検出する。インタビューの質問は、家族構成員がその日に何をしたか、他人に関心があると予想されるどんな経験をしたか思い出すことに役立つ。従って、システムは、システムへのコンテンツの送信を促し、利用頻度を経時的に一定に維持する。システムは、家族のニュースをテレビチャネルに類似したチャネルとして、又は利用性に対して若しくは受信者が“家族のニュース”をリクエストしたときなどに提供する。これは、親や祖父母などの家族構成員がリーンバックモードにより家族ニュースにアクセスすることを可能にする。家族ニュースへのアクセスを得るためのシステムとの複雑なやりとりは不要である。
【００３４】
後述される実施例では、家族ニュースは、バーチャルな家族ニュースレポーターに対応するアニメーション化されたアバタにより提供される。バーチャル家族ニュースレポートをアバタとして加えることによって、家族ニュースの提供は、スライドショーから視聴者に興味を持たせ続ける家族ニュースのより生活に近く見るのが楽しい家族ニュースの構成に変わる。一実施例では、家族ニュースレポートは、外部ソースから取得したニュースプログラムに埋め込まれ、これにより、家族ニュースはワールドニュースの一部となる。
【００３５】
図１の概略図に戻って、ニュースレポーターシステム１は、インターネットなどの超大規模エリアネットワーク２に接続される。システム１は、典型的には、少なくとも１つのデータ処理ユニット、メモリ及びデータ記憶装置（図示せず）を有するデータ処理システムを有する。さらに、ブロードキャストネットワーク４を介したデジタルテレビ受信機５，６へのビデオ送信を提供する送信ステーション３とのインタフェース（図示せず）を有する。ビデオ伝送は、オンデマンド、マルチキャスト伝送又はブロードキャスト伝送であってもよい。実施例では、要求されたアクセストークン（パスワード、スマートカードなど）を有するデジタルテレビ受信機５，６のユーザのみが家族ニュースチャネルを視聴できるように、家族ニュースチャネルは暗号化される。さらに又はあるいは、家族ニュースレポーターシステム１は、例えば、インターネットアクセスによりパーソナルコンピュータ７などに、ネットワーク２を介しオーディオビジュアルデータストリームとしてダウンロードするため家族ニュースを利用可能にすることができる。さらなる他の実施例では、家族ニュースレポーターシステム１は、ブロードキャストネットワーク４が実際に宅内ネットワークに対応するように、ホテル又は企業により運営される。さらなる他の実施例では、家族ニュースは、新聞に印刷された編集物として、任意的には他のニュースと一緒に利用可能とされる。従って、ホテル又はカンファレンスセンターが、家族ニュース及びワールドニュースを含むパーソナル化された新聞をゲストに提供するようにしてもよい。
【００３６】
図１に戻って、家族ニュースレポーターシステム１は、ネットワーク２を介し通信する装置からコンテンツデータアイテムを取得する。図１において、ネットワーク２に直接接続される２つの計算装置８〜１０が、一例として示される。スマートフォン１１は、携帯電話ネットワーク１２とゲートウェイ１３とを介しネットワーク２に接続され、コンテンツデータアイテムを送信するための同様に利用可能である。
【００３７】
スマートフォン１１は、携帯電話ネットワーク１２を介し音声データを含むデータを交換する送受信機１４を有する。さらに、スマートフォン１１の現在位置を表すデータを提供するＧＰＳ受信機１５を有する。カメラ１６が、ビデオを構成するデジタルイメージシーケンスを含むデジタルイメージを記録するため備えられる。音声通信は、マイクロフォン１７とスピーカー１８を用いて実行される。概略的に示される実施例では、スマートフォン１１はさらに、タッチ画面インタフェースを有する実施例では、データ処理ユニットメモリ２０と共に、ビジュアル表示ユニット２１とを含む。
【００３８】
スマートフォン１１を利用して、ユーザは、コンテンツデータアイテム、特にオーディオ、ビデオ、テキスト及びイメージデータの少なくとも１つを有するファイルを家族ニュースレポーターシステム１に送信可能である。スマートフォン１１の機能に依存して、コンテンツデータアイテムは、ウェブインタフェースや専用インタフェースを介したアップロードとしてＭＭＳ（Ｍｕｌｔｉｍｅｄｉａ  Ｍｅｓｓａｇｉｎｇ  Ｓｙｓｔｅｍ）メッセージや電子メールにより送信される。それらは、スマートフォン１１自体の識別情報（ネットワークアドレスや電話番号など）を介し、又はユーザがユーザ名をスマートフォン１１に提供しているため、スマートフォン１１のユーザの身元と関連付けされる。ユーザによって自発的に送信されるコンテンツデータアイテムに対して、家族ニュースレポーターシステム１には、コンテンツデータアイテムと共に提供されるデータを介し関連する家族構成員にコンテンツデータアイテムをリンクさせることを可能にするインタフェースが設けられる。家族ニュースレポーターシステム１の促しにより提供されるコンテンツデータアイテムについて、家族ニュースレポーターシステム１は、コンテンツデータアイテムを送信した家族構成員の身元をすでに知っている。ユーザは、家族ニュースレポートが編集されたときのそれの受信優先度及び／又は家族ニュースレポートの当該部分に追加される付加データ（ビデオクリップへのボイスオーバとしての特別なアナウンスメントなど）を生じさせる“ブレーキングニュース（ｂｒｅａｋｉｎｇ  ｎｅｗｓ）”としてコンテンツデータアイテムをタグ付けする選択を有する。
【００３９】
一実施例では、スマートフォン１１は、スマートフォン１１にインストールされた適切なソフトウェアを介しコンテンツデータアイテム又は他の情報を家族ニュースレポーターシステム１に提供するよう自動的に設定される。従って、ＧＰＳにより生成される位置データが送信可能であり、ユーザのカレンダーが同期可能であり、又はメモリ２０に格納されているイメージ及びビデオが自動的にアップロード可能である。他の実施例では、周辺温度や他の気象パラメータを含む他の状況データが自動送信可能である。さらなる他の実施例では、スマートフォン１１は、それの環境において他の家族構成員に関する装置を検出するよう構成され、この情報は家族ニュースレポーターシステム１に送信される。
【００４０】
家族ニュースレポーターシステム１は、対話における家族構成員からの貢献を取得するよう構成される。図２は、第１タイプの対話を示す、ここでは、家族ニュースレポーターシステム１が、コンテンツデータアイテムをアップロードするリクエスト、特にオーディオ、ビデオ、テキスト及びイメージデータの少なくとも１つを含むファイルを送信するリクエストを家族構成員に送信する。
【００４１】
図示された実施例では、家族ニュースレポーターシステム１は、各家族構成員のスケジュールを含むデータベース２２を維持する。各スケジュールは、関係する家族構成員により実行された又は計画された活動の特徴を少なくとも表す情報を含む。特徴としては、開始時間、終了時間、日付、活動のタイプ、位置、関係した他の人々の身元などがあげられる。家族ニュースレポーターシステムは、スマートフォン１１及び計算装置８〜１０により格納されているカレンダー及び他のデータとスケジュールとを同期させることによって、このようなスケジュールを維持することができる。他の実施例では、データベース２２は、グループの少なくとも１人のメンバーに関するさらなるデータを、当該メンバーに関する装置の使用ログの形態により含む。例えば、データベース２２は、スマートフォン１１のカメラにより撮影された写真のリストによって定期的に更新可能である。このような更新は、自動的に実行可能である。
【００４２】
家族ニュースレポーターシステム１は、スマートフォン１１のユーザなどの特定のユーザに関するデータベース２２内の情報を解析する（ステップ２３）。このような解析は、例えば、定期的なインターバルにより実行可能である。この解析に基づき、家族ニュースレポーターシステム１は、関係する家族構成員からのコンテンツデータアイテムをリクエストするか判断する（ステップ２４）。リクエストを送信するか否かを判断するファクタは、コンテンツデータアイテムがすでに受信されたか、いくつのコンテンツデータアイテムがすでに受信されたか、直近の活動があったか、又は活動が現在継続中であるかなどを含む。計画された活動を家族構成員に思い出させるのでなく、家族ニュースレポーターシステム１は、家族ニュースチャネルに貢献を送信するよう家族構成員に思い出させるよう動作する。従って、システム１は、活動が開始された後にのみ、いくつかの状況では活動が終了された後にのみ、肯定的な判定をする。一実施例では、家族ニュースレポーターシステム１は、活動時間以外の情報を利用して、活動中又は活動後にメッセージを提供するか判断する。一実施例では、このステップ２４は、誰にメッセージを送信すべきか判断することを含む。従って、スケジュールが、共通の活動に複数の家族構成員が関与したことを示す場合、それぞれにメッセージを送信可能である。
【００４３】
メッセージを送信することが決定された場合、メッセージが構成される（ステップ２５）。メッセージの構成は、先行するステップ２３において実行された解析結果に応じて変わる。メッセージは、メッセージ送信の決定が基づいたデータを参照するよう構成される。例えば、メッセージは、ある活動の日時又は位置を参照することによって、スケジュールにおける当該活動に関するコンテンツデータアイテムを送信するための利用を求めることができる。
【００４４】
その後、メッセージは、例えば、スマートフォン１１のユーザなどに適切なフォーマットにより提供される（ステップ２６）。メッセージを提供するのに選ばれるモダリティは、変更可能である。従って、一実施例では、ユーザは通話を受信し、メッセージがテキスト音声コンバータを用いて提供される。他の実施例では、ユーザは、スマートフォン１１の表示ユニット２１上でテキストメッセージを受信する。発展的な実施例では、家族ニュースレポーターを表すアバタが、メッセージをユーザに提供するため表示ユニット２１上に出現する。
【００４５】
家族ニュースレポーターシステム１は、メッセージに応答して、コンテンツデータアイテムの形式により、特に、オーディオ、ビデオ、テキスト及びイメージデータの少なくとも１つを含むファイルの形式により情報を受信する（ステップ２７）。このコンテンツデータアイテムは、家族ニュースプログラムの一部を構成するため、付加データと合成される（ステップ２８）。特に、以前のステップ２６に提供されるメッセージを生じさせるのに用いられるデータは、サブタイトル又はコンテンツデータアイテムの音声を提供するのに利用可能である。その後、当該部分は、家族ニュースレポートを構成する編集物に追加される（ステップ２９）。このステップ２９は、家族構成員から情報を取得するさらなる方法が図３を参照して説明された後に、以降において詳細に説明される。
【００４６】
図３は、図２の方法の最初の５つのステップ２３〜２７が実行された後又は自らの一致でコンテンツデータアイテム、特にオーディオ、ビデオ、テキスト及びイメージデータの少なくとも１つを含むファイルを送信した後の家族ニュースレポーターシステム１と家族構成員との間の対話を示す。
【００４７】
コンテンツデータアイテムを受信すると（ステップ３０）、家族ニュースレポーターシステム１は、取得したコンテンツデータに含まれるデータと、取得したコンテンツデータに含まれるデータに関するメタデータとの少なくとも１つを解析する（ステップ３１）。イメージファイルのケースでは、当該解析は、例えば、写真内に建物があるかなどを決定するための画像解析、又は画像内に何れか既知の人がいるか決定するための顔認識解析とすることが可能である。音声情報を含むファイルのケースでは、音声認識が誰が話しているか決定するため適用可能である。
【００４８】
次に、家族ニュースレポーターシステム１は、スマートフォン１１などの家族構成員にメッセージを送信するか決定する（ステップ３２）。この決定は、以前のステップ３１の解析結果に基づく。例えば、建物が写真に存在すると判断されたが、システム１がそれを認識できなかった場合、メッセージがユーザに送信されるべきであると決定する。同様に、オーディオトラックの音声がユーザのものでないと判断された場合、家族ニュースレポーター１は、発話者が誰であったか、又は発話者と家族構成員との間に何れの関係があるか求めることが適切であると判断できる。
【００４９】
メッセージが送信されるべきであると判断された場合、メッセージが構成及び送信される（ステップ３３）。メッセージの構成はまた、以前のステップ３１で行われた解析に依存し、これにより、メンバーから取得したコンテンツデータアイテムとコンテンツデータアイテムに関するメタデータとの少なくとも１つが、家族構成員に関する少なくとも１つの装置上に取得されるメッセージのコンテンツを決定するのに利用される。
【００５０】
一実施例では、家族構成員はテキストメッセージを受信する。他の実施例では、家族ニュースレポーターシステム１は、架空の人間のモデル（家族ニュースレポーター）とテキスト音声変換技術とを利用して、音声メッセージを家族構成員に提供する。家族ニュースレポーターシステム１は、例えば、スマートフォン１１を呼び出すことが可能である。
【００５１】
その後、ユーザは、リクエストされた情報によりレスポンスを提供する（ステップ３４）。このレスポンスは、テキストメッセージ又は音声メッセージの形式とすることができる。家族ニュースレポーターシステム１は、当該レスポンスに対して音声認識を実行した後に情報を処理する。
【００５２】
図示された実施例では、家族構成員から取得したレスポンスに応じて対話のための準備がなされる。この変形では、家族ニュースレポーターシステム１は、家族構成員（又は他の家族構成員）へのさらなるメッセージが所望されるか又は必要であるか判断するため、レスポンスを解析する。そうである場合、家族ニュースレポーターシステム１は、さらなるメッセージを構成及び送信し（ステップ３５）、家族構成員からさらなるレスポンスを取得する（ステップ３６）。
【００５３】
さらなるメッセージが送信又は受信されない場合、レスポンスからのデータが、家族ニュースレポートを構成するためコンテンツデータ編集物の一部を生成するため、第１ステップ３０において受信したコンテンツデータアイテムと合成される（ステップ３７）。
【００５４】
一変形では、ライブの解説が家族構成員により送信されたビデオ又は他のコンテンツデータアイテムにより家族構成員より提供可能であるという意味で、最後のステップ３７が再帰的ループ内に含まれる。当該メッセージ及びレスポンスは家族ニュースチャネル上でほぼリアルタイムに送信される。
【００５５】
家族ニュースレポートがまず構成され、その後に送信される場合、図３に示される最後のステップ３７は、図２に示される最後のステップ２９と同様のステップに続き、異なる家族構成員により送信される異なるコンテンツデータアイテムに基づく部分が最終的なコンテンツデータ編集物に合成され、何れの家族構成員によっても送信されない付加題材がまた追加可能である。このステップ２９において、家族ニュースレポーターシステム１は、すべての入力（コンテンツデータアイテムとメッセージに対するレスポンス）を収集し、それから新たなプログラムを構成する。これは、音声認識や顔認識などの技術を用いて関連する題材を一緒にクラスタリング及びリンクすることを含む。これらのリンクは、題材の時間及びデータ、題材に関するジオタグ、テキスト入力のセマティックなクラスタリング、視覚的題材（イメージ及びビデオ）における関連する顔の間に確立されたリンク、及び音声題材における関連する音声の間に確立されたリンクの少なくとも１つに基づく。
【００５６】
ニュースプログラムをより面白くするため、バーチャルな家族ニュースレポーターがニュースを提供する。題材は、人間のモデルに基づくデータにより拡張される。家族ニュースプログラムのケースでは、これはアバタである。コンテンツデータアイテムと関連するメタデータとの解析結果として取得される情報は、メッセージに応答して取得される情報とデータベース２２からのスケジューリングデータと共に、アバタの出力のセマティックコンポーネントを提供するのに利用される。
【００５７】
さらに、コンテンツデータアイテム間の移行、特に視覚情報を有する移行が追加される。上述されるように、特別なタイプの移行は、高優先度又は“ブレーキングニュース”としてマーク付けされるコンテンツデータアイテムに提供可能である。
【００５８】
この結果は、家族構成員に、特にリニア的なレンダリングのため、すなわち、情報におけるナビゲーションを必要としない親や祖父母にストリーミング可能なオーディオビジュアルコンテンツデータ編集物である。
【００５９】
上述された実施例は本発明を限定することなく例示するものであり、当業者は添付した請求項の範囲から逸脱することなく他の多数の実施例を構成可能であることに留意すべきである。請求項において、括弧内に置かれる参照符号は請求項を限定するものとして解釈されるべきでない。“有する”という単語は、請求項に列記された以外の要素又はステップの存在を排除するものでない。要素に先行する“ある”という単語は、このような要素が複数存在することを排除するものでない。ある手段が互いに異なる従属クレームに記載されるという事実は、これらの手段の組み合わせが効果的に利用可能でないことを示すものでない。
【００６０】
家族ニュースレポーターシステム１により実行される機能はまた、計算装置８，９又はスマートフォン１１上でローカルに実行可能である。特に、計算装置８，９又はスマートフォン１１の１つは、他のグループメンバーからの貢献を収集し、コンテンツデータ編集物をローカルにのみ利用可能にすることができる。
【００６１】
あるユーザは、複数の社会的グループに属することが可能である。これを許容するため、人々は複数のニュースチャネルを有し、複数の二と人からニュースアイテムを購読可能である。家族ニュースレポーターシステム１は、複数のグループのためのニュースプログラムを利用可能にすることができる。一実施例では、１人のユーザの貢献が、ユーザがメンバーとなっている複数のグループのコンテンツデータ編集物を生成するのに利用される。
【図１】
2012526317.tif 000003
【図２】
2012526317.tif 000004
【図３】
2012526317.tif 000005
【手続補正書】
【提出日】平成23年11月9日(2011.11.9)
【手続補正１】
【補正対象書類名】特許請求の範囲
【補正対象項目名】全文
【補正方法】変更
【補正の内容】
【特許請求の範囲】
【請求項１】
ユーザのグループのメンバーの経験のレポートを提供する方法であって、
前記グループの異なるメンバーに関連して取得された少なくともコンテンツデータアイテムから編集されるコンテンツデータ編集物を利用可能にするステップと、
前記グループの少なくとも１人のメンバーに関するデータであって、前記少なくとも１人のメンバーにより行われた少なくとも１つの活動と、前記少なくとも１人のメンバーによりスケジュールされた少なくとも１つの活動との少なくとも１つの少なくとも特徴を表す情報を含むデータを取得するステップと、
前記少なくとも１人に関するデータを利用して、前記グループの少なくとも１人のメンバーに関する少なくとも１つの装置上に少なくとも１つのメッセージを出力するステップと、
を有し、
前記コンテンツデータ編集物の少なくとも一部は、前記少なくとも１つの装置が関連する少なくとも１人のメンバーによって前記少なくとも１つのメッセージに応答して提供された情報に基づき、
前記メッセージは、前記活動の開始後の時点で提供される方法。
【請求項２】
前記メンバーに関する少なくとも１つの装置上に少なくとも１つのメッセージを出力するのに利用されるデータは、前記メンバーから取得されたコンテンツデータアイテムと、前記コンテンツデータアイテムに関するメタデータとの少なくとも１つを含む、請求項１記載の方法。
【請求項３】
前記メッセージの提供前に、前記コンテンツデータアイテムと前記コンテンツデータアイテムに関するメタデータとの少なくとも１つを解析するステップを有する、請求項２記載の方法。
【請求項４】
前記少なくとも１つのメッセージに応答して提供される情報は、前記メンバーから取得されたコンテンツデータアイテムの少なくとも一部を含むコンテンツデータの一部を構成するのに利用される、請求項２記載の方法。
【請求項５】
前記構成された部分は、前記コンテンツデータアイテムの少なくとも一部に対応するデータと合成され、前記コンテンツデータ編集物がレンダリングシステムによって知覚可能な形式によりレンダリングされるときに一時的に少なくとも部分的にオーバラップするなどのため、前記コンテンツデータ編集物に含まれる、請求項４記載の方法。
【請求項６】
前記少なくとも１つのメッセージのコンテンツの少なくとも一部を決定するため、コンテンツデータアイテムと前記コンテンツデータアイテムに関するメタデータとの少なくとも１つを解析するステップを有する、請求項１記載の方法。
【請求項７】
レンダリングシステムによる知覚可能な形式によるリニア再生のためのフォーマットによって前記コンテンツデータ編集物を利用可能にするステップを有する、請求項１記載の方法。
【請求項８】
前記取得されたコンテンツデータアイテムに含まれるデータの解析、前記取得されたコンテンツデータアイテムに含まれるデータに関するメタデータ、前記少なくとも１人のメンバーに関するデータを利用して前記少なくとも１人のメンバーに関する少なくとも１つの装置上に少なくとも１つのメッセージが出力されることに応答して前記少なくとも１人により提供される情報、前記グループのメンバー間の関係を表すデータ、及び前記少なくとも１つのコンテンツデータアイテムが受信された少なくとも１人のメンバーに関する少なくとも１つの装置上にメッセージを出力するのに利用されるデータの少なくとも１つに基づき、前記グループの異なるメンバーに関連して取得されたコンテンツデータアイテムから導出されるデータを整理することによって、前記コンテンツデータ編集物を生成するステップを有する、請求項１記載の方法。
【請求項９】
人間のモデルに基づくデータによって前記コンテンツデータ編集物を拡張するステップを有する、請求項１記載の方法。
【請求項１０】
前記コンテンツデータアイテムは、オーディオ、ビデオ、テキスト及びイメージデータの少なくとも１つを有するファイルの形式である、請求項１記載の方法。
【請求項１１】
ユーザのグループのメンバーの経験のレポートを提供するシステムであって、
前記グループの異なるメンバーに関連して当該システムによって取得される少なくともコンテンツデータアイテムから編集されるコンテンツデータ編集物を構成する処理システムと、
知覚可能な形式によりレンダリングするため前記コンテンツデータ編集物を利用可能にするレンダリングシステムとのインタフェースと、
を有し、
当該システムは、
前記グループの少なくとも１人のメンバーに関するデータを取得し、
前記グループの少なくとも１人に関するデータを利用して、前記グループの少なくとも１人のメンバーに関する少なくとも１つの装置上に少なくとも１つのメッセージを出力し、
前記コンテンツデータ編集物の少なくとも一部を、前記少なくとも１つのメッセージに応答して前記少なくとも１人のメンバーにより提供される情報に基づくものにする、
よう構成され、
請求項１乃至１０何れか一項記載の方法を実行するよう構成されるシステム。
【請求項１２】
情報処理機能を有するシステムに請求項１乃至１０何れか一項記載の方法を実行させることが可能な命令セットをマシーン可読媒体に搭載されるときに有するコンピュータプログラム。
【手続補正２】
【補正対象書類名】明細書
【補正対象項目名】全文
【補正方法】変更
【補正の内容】
【発明の詳細な説明】
【技術分野】
【０００１】
本発明は、ユーザグループのメンバーの経験レポートを提供する方法に関する。本発明はまた、ユーザグループのメンバーの経験レポートを提供するシステムに関する。本発明はまた、コンピュータプログラムに関する。
【背景技術】
【０００２】
ＵＳ２００８／０００５１６８Ａ１は、家族情報を管理する方法であって、複数の個別の家族構成員を有する家族をデータストアにおいて規定し、家族の第１構成員に関する第１アイテムをデータストアに格納し、家族の第２構成員に関する第２アイテムをデータストアに格納し、家族全体に関する第３アイテムをデータストアに格納し、家族構成員の識別子、時間識別子及びアイテムタイプ識別子の少なくとも１つを有するアイテムクエリをユーザ入力に基づき受信し、アイテムクエリに基づき第３アイテムと第１アイテム及び第２アイテムの少なくとも１つとを有するアイテムセットをデータストアから抽出し、各アイテムがアイテムタイプ識別子とアイテムデータとを有する抽出されたアイテムセットを返す方法を開示する。
【０００３】
ＵＳ２００９／００６３９９５Ａ１は、ユーザが複数のソースからのライブ又は記録されたマルチメディアコンテンツを同時に視聴しながら、互いにやりとりすることを可能にするコンピュータにより実現される方法及びシステムに関する。インタラクションレイヤは、ユーザ間のリアルタイムのポーリングを実行してもよい。インタラクションレイヤはさらに、サイマルキャストマルチメディアコンテンツ、インタラクションモード、インプラットフォームアドバタイズメント、ユーザプロファイル及びグループダイナミクスをグラフィカル表示するためのグラフィカルユーザインタフェースを有する。サイマルキャストマルチメディアコンテンツは、インタラクションモードを用いてリアルタイムにやりとりしながら、ユーザにより利用される。インタラクションレイヤは、バーチャルセッションに現在参加するユーザを表示するためのユーザプレゼンスコンポーネントを提供し、ユーザのさらなる検出と、ユーザとのやりとりのためのオプションを提供する。各ユーザは、ユーザのウェブカムから提供されるスタティック、アニメート又はライブビデオであってもよいフレキシブルなユーザアバタにより表現される。ポーリングトリビアエンジンは、ユーザ間のリアルタイムポーリングを実行する。ポーリングトリビアエンジンは、ストリーミングマルチメディアコンテンツに従ってポーリング質問の送信を適切に決定する用意を有する。ポーリングロジックは、コンテクストな質問がポーリングとしてユーザに提供されるように、ユーザレスポンスに基づき設定される。ポーリング質問は、マルチメディアコンテンツに対して時間符号化され、ポーリングロジックが、以前のポーリング質問に対するユーザレスポンスに基づき新たな質問を選択するよう分岐される。ポーリングトリビアエンジンは、ポーリングの結果をグラフィカル表示する。これらの結果を用いて決定されるグループダイナミクスがまた表示されてもよい。
【０００４】
ＷＯ００／７７６７Ａ２は、家族構成員間の通信を実現する家族情報管理システムを開示する。家族情報システムは、家族の構成員に関する情報を格納及び処理する中央制御モジュールを有する。中央制御モジュールは、特定の登録された家族に割り当てられる家族データファイルのデータベースを含む。家族データファイルは、好ましくは、各種インタフェース装置を介し何れかのネットワークを介しアクセス可能な１つの全体的な家族情報管理アプリケーションに統合される。中央制御モジュールは、複数のフォーマットで存在する情報の入力及び抽出を可能にするよう構成される。また、カスタマが家族の他の構成員のためオーディオ及びビデオメッセージ及びリマインダを残すことが可能であってもよい。家族情報システムは、ユーザインタフェースシステムを用いて関連する家族情報によって中央制御モジュールを更新し、家族構成員に各種関連する活動について通知する。ユーザインタフェースシステムは、ホームＰＣ、テレビ又は宅内スクリーンからの双方向接続、双方向無線又はセルラ通信を介しインターネットアクセスを利用してもよい。ユーザインタフェース装置はまた、家族構成員に重要イベントの状態に関するリマインダと共に、他の家族構成員により入力されたプランリアルタイム変更を中央制御モジュールから受信する機能を提供する。
【０００５】
既知のシステムの問題点は、それが主としてプラニングツールとして適したものであるが、家族構成員が各自の活動を通知し続けるのに利用可能な情報を収集するため、家族構成員からの自発的な送信に依拠することである。
【発明の概要】
【発明が解決しようとする課題】
【０００６】
関与しているという感覚を提供し、又は互いの生活において少なくとも通知するため、人々のグループが経験を共有することを可能にする上述されたタイプの方法、システム及びコンピュータプログラムを提供することが望ましい。
【課題を解決するための手段】
【０００７】
これは、請求項１記載のユーザのグループのメンバーの経験のレポートを提供する方法によって実現される。
【０００８】
グループの異なるメンバーに関連して取得された少なくともコンテンツデータアイテムから編集されたコンテンツデータ編集物を利用可能にすることによって、当該編集物がグループの複数のメンバーの経験に関する情報を共有するため、グループのメンバーは、所属の感覚を取得することができる。少なくとも１つのメッセージが少なくとも１人のメンバーに関する少なくとも１つの装置上に出力され、コンテンツデータ編集物の少なくとも一部が、少なくとも１つのメッセージに応答して少なくとも１人のメンバーにより提供された情報に基づくため、メンバーは、編集物に貢献するよう促される。これは、経時的に生成されたコンテンツデータ編集物が、そうでない場合にメンバーがシステムを利用してアクセスし続ける興味を失い機能を維持することを保障する。少なくとも１人のメンバーに関するデータを利用して、少なくとも１つのメッセージを少なくとも１人のメンバー、特に当該データが関連付けされるメンバーに関する少なくとも１つの装置上に出力することによって、該当する時間又はコンテンツにおいて促しが提供されることが保障できる。従って、より意義ある情報が、応答において取得される。これは、グループのメンバーが何れかにより共有していると思うハイライトに限定されない編集物を提供することに役立つ。本コンテクストでは、例えば、グループのあるメンバーに関するものであると知られている装置からデータが送信されたため、グループの１以上のメンバーの集合とのリンクを確立する情報が提供された場合、データがユーザと関連付けされる。一般に、データを提供するのに利用されるデータは、グループの関連するメンバーによってコンテンツデータ編集物に含めるために送信されたコンテンツデータアイテムと、グループの１以上のメンバーに関する過去、現在又は将来の活動の少なくとも特徴を表すデータとの少なくとも１つである。
【０００９】
本方法の一実施例では、前記メンバーに関する少なくとも１つの装置上に少なくとも１つのメッセージを出力するのに利用されるデータは、前記メンバーから取得されたコンテンツデータアイテムと、前記コンテンツデータアイテムに関するメタデータとの少なくとも１つを含む。
【００１０】
本実施例では、コンテンツデータ編集物を提供するシステムは、本方法を利用して取得されたコンテンツデータアイテムの設定を提供する情報を取得することができる。特に、当該情報は、編集物においてコンテンツデータアイテムが配置されるべき位置を決定するのに利用可能である。あるいは、又はさらに、当該情報は、コメント、イントロダクション、キャプションなどによりコンテンツデータアイテムを拡張するのに利用可能である。
【００１１】
本実施例の一変形は、前記メッセージの提供前に、前記コンテンツデータアイテムと前記コンテンツデータアイテムに関するメタデータとの少なくとも１つを解析するステップを有する。
【００１２】
当該解析は、本方法を実行するシステムがメッセージをユーザに送信するかと共に、何れのメッセージタイプにするか決定するのに役立つ。第１のケースでは、メッセージ数が限定される。第２のケースでは、より有用な情報が取得され、システムが意味ある編集物を提供するのに役立つ。
【００１３】
さらなる変形では、前記少なくとも１つのメッセージに応答して提供される情報は、前記メンバーから取得されたコンテンツデータアイテムの少なくとも一部を含むコンテンツデータの一部を構成するのに利用される。
【００１４】
特に、当該情報は、コンテンツデータアイテムと合成され、又はメンバーから取得されたコンテンツデータアイテムが関連するさらなるコンテンツデータアイテムを検索するのに利用可能である。
【００１５】
一変形では、前記構成された部分は、前記コンテンツデータアイテムの少なくとも一部に対応するデータと合成され、前記コンテンツデータ編集物がレンダリングシステムによって知覚可能な形式によりレンダリングされるときに一時的に少なくとも部分的にオーバラップするなどのため、前記コンテンツデータ編集物に含まれる。
【００１６】
本変形では、メンバーの思考、感情又は経験などに関するコンテンツデータアイテムに関するコメントが、メンバーにより送信されたコンテンツデータアイテムの少なくとも一部に対応するデータに追加される。コンテンツデータ編集物が提供する経験のレポートは、グループの他のメンバーにとってより意味あるものとなる。
【００１７】
本方法の一実施例は、前記少なくとも１つのメッセージのコンテンツの少なくとも一部を決定するため、コンテンツデータアイテムと前記コンテンツデータアイテムに関するメタデータとの少なくとも１つを解析するステップを有する。
【００１８】
本実施例は、コンテンツデータアイテムと共に意味ある情報を返す少なくとも１つの関連する質問をユーザに提供する。例えば、メッセージは、ユーザが送信したデジタル写真に関するメタデータに示される日付にどこにいたかユーザに照会することができる。あるいは、直接的な画像解析のケースでは、メッセージは、ユーザがより多くの情報を提供することを促すため、写真に示されるシーンにおける特徴を利用可能である。
【００１９】
一実施例では、前記グループの少なくとも１人のメンバーに関するデータは、前記少なくとも１人のメンバーにより行われた少なくとも１つの活動と、前記少なくとも１人のメンバーによりスケジュールされた少なくとも１つの活動との少なくとも１つの少なくとも特徴を表す情報を含む。
【００２０】
本実施例は、システムを利用して経験を共有するグループの多くのメンバーが他人と共有すべきである経験とみなすことができないという問題を解決する。本実施例を利用して、メンバーには、メンバーが提供すべき特定の情報アイテムに対する具体的質問が提供可能である。例えば、観光旅行がある日付にスケジュールされている場合、本方法は、写真やホームビデオを送信する督促を自動的に提供する。
【００２１】
一変形では、前記メッセージは、前記活動の開始後の時点で提供される。
【００２２】
これは、督促が、イベントが行われる予定であるという督促でなく、イベントに関するコンテンツデータアイテムを送信するための督促として利用される。
【００２３】
本方法の一実施例は、レンダリングシステムによる知覚可能な形式によるリニア再生のためのフォーマットによって前記コンテンツデータ編集物を利用可能にするステップを有する。
【００２４】
本実施例は、多くのユーザがウェブサイトなどのコンテンツデータファイルの集まりをナビゲートするのに十分に技術的に精通していないという問題を解決する。知覚可能な形式によるリニア（すなわち、シーケンシャル）な再生のためのフォーマットは、コンテンツデータ編集物の受動的な精読を可能にする。ナビゲーションは不要である。コンテンツデータ収集物は、インターネットを介しストリーミングされるか、又はユーザグループに専用のテレビチャネルにより伝送可能である。
【００２５】
本方法の一実施例は、前記取得されたコンテンツデータアイテムに含まれるデータの解析、前記取得されたコンテンツデータアイテムに含まれるデータに関するメタデータ、前記少なくとも１人のメンバーに関するデータを利用して前記少なくとも１人のメンバーに関する少なくとも１つの装置上に少なくとも１つのメッセージが出力されることに応答して前記少なくとも１人により提供される情報、前記グループのメンバー間の関係を表すデータ、及び前記少なくとも１つのコンテンツデータアイテムが受信された少なくとも１人のメンバーに関する少なくとも１つの装置上にメッセージを出力するのに利用されるデータの少なくとも１つに基づき、前記グループの異なるメンバーに関連して取得されたコンテンツデータアイテムから導出されるデータを整理することによって、前記コンテンツデータ編集物を生成するステップを有する。
【００２６】
特に、コンテンツデータ収集物がレンダリングシステムによる知覚可能な形式によるリニア再生のためのフォーマットにより利用可能にされるケースでは、コンテンツデータアイテムはある順序に配置される必要がある。取得されたコンテンツデータに含まれるデータを解析することによって、関連する題材がこのような順序を確定するため、一緒にクラスタリング可能である。このようなタイプの解析は、テキストの意味的又はセマティッククラスタリング、視覚題材（イメージ、ビデオ）の顔認識、同じ声を有するオーディオ又はオーディオビジュアル題材を特定する音声解析などを含むことができる。同様に、取得されたコンテンツデータに含まれるデータに関するメタデータが、各種コンテンツデータアイテムに対応するデータをクラスタリングするのに利用可能である。例えば、題材又はジオタグの日時が、関連するコンテンツデータアイテムをクラスタリングするのに利用可能である。また、ユーザは、高い優先度を有する物としてコンテンツデータアイテムをタグ付けしてもよい（“ブレーキングニュース”）。グループの異なるメンバーに関連して取得されたコンテンツデータを順序づけるのに利用される解析が、少なくとも１人のメンバーに関するデータを利用して、少なくとも１人のメンバーに関する少なくとも１つの装置に出力される少なくとも１つのメッセージに応答して、少なくとも１人のメンバーにより提供される情報を解析することを含む場合、メッセージは、メンバーにより送信されるコンテンツデータアイテムをクラスタリングするための情報を取得するのに利用可能である。少なくとも１つのコンテンツデータアイテムが受信された少なくとも１人のメンバーに関する少なくとも１つの装置にメッセージを出力するのに利用されるデータがまた利用可能である。コンテンツデータアイテムがメッセージを発生させた情報とある関係を有することが予想されるためである。例えば、メンバーのカレンダーがメンバーがある日にある活動を行ったことを示すため、メッセージが生成される場合、その日付がメッセージに応答してメンバーにより送信されたイメージファイルと関連付けすることができる。最終的に、グループのメンバー間の関係を表すデータが、送信者の状態属性に従ってメンバーにより送信されたコンテンツアイテムを順序付けするのに利用可能である。メンバー間の社会的距離が、クラスタリング基準として利用可能である。
【００２７】
本方法の一実施例は、人間のモデルに基づくデータによって前記コンテンツデータ編集物を拡張するステップを有する。
【００２８】
このタイプのデータは、異なるメンバーからの部分の間の早急でない変更によってコンテンツデータ編集物を生成するのに利用可能である。人間のモデルは、コンテンツデータ編集物のタイプに応じてオーディオ及びビデオコンポーネントの１以上を含む。オーディオコンポーネントは、特にメンバーの１人や中立的なプレゼンタなどの人間の声を有する。コンテンツデータ編集物を利用可能にするシステムにより生成又は取得される情報は、音声出力のセマティックコンテンツを提供するのに利用可能であり、その後にそれは、メンバー又は中立的なプレゼンタのモデルを用いて特定の形式により提供される。このタイプの出力は、コンテンツデータ編集物の各部分の間の音声又はアナウンスメントとすることができる。同様に、人間のビデオコンポーネントは、一般にアバタである。一実施例では、アバタは、付加的なコメントを提供するため、コンテンツデータ編集物の一部のビデオコンポーネント上に重畳される。他の実施例では、アバタは、異なるメンバーに関連して取得される異なるコンテンツデータアイテムに対応する部分をブリッジするコンテンツデータ編集物の一部に提供される。
【００２９】
本発明の他の態様によると、ユーザのグループのメンバーの経験のレポートを提供するシステムであって、前記グループの異なるメンバーに関連して当該システムによって取得される少なくともコンテンツデータアイテムから編集されるコンテンツデータ編集物を構成する処理システムと、知覚可能な形式によりレンダリングするため前記コンテンツデータ編集物を利用可能にするレンダリングシステムとのインタフェースとを有し、当該システムは、前記グループの少なくとも１人のメンバーに関するデータを取得し、前記グループの少なくとも１人に関するデータを利用して、前記グループの少なくとも１人のメンバーに関する少なくとも１つの装置上に少なくとも１つのメッセージを出力し、前記コンテンツデータ編集物の少なくとも一部を、前記少なくとも１つのメッセージに応答して前記少なくとも１人のメンバーにより提供される情報に基づくものにするよう構成されるシステムが提供される。
【００３０】
本システムは、ユーザのグループの異なるメンバーからの入力に基づきコンテンツデータ編集物を自動編集し、当該入力は、コンテンツデータアイテムと、システムからメッセージに応答して提供された情報とを含む。それは、メンバーが意味ある入力を提供することを保障し、これにより、コンテンツデータ編集物は、それを視聴した人々にコミュニティの感覚を提供する。
【００３１】
一実施例では、本システムは、本発明による方法を実行するよう構成される。
【００３２】
本発明の他の態様によると、情報処理機能を有するシステムに本発明による方法を実行させることが可能な命令セットをマシーン可読媒体に搭載されるときに有するコンピュータプログラムが提供される。
【図面の簡単な説明】
【００３３】
【図１】図１は、ユーザグループのメンバーによる貢献から少なくとも部分的に編集されるオーディオビジュアルデータストリームを提供するシステムの概略図である。
【図２】図２は、グループのメンバーから貢献を取得するのに用いられる方法のフローチャートである。
【図３】図３は、グループのメンバーによる貢献に関する付加的情報を取得するのに用いられる方法のフローチャートである。
【発明を実施するための形態】
【００３４】
図１に示されるようなネットワークシステムの構成が、グループのメンバーが、特に家族の構成員が他のメンバーの最新の経験を維持することを可能にするため説明される。簡単化のため、他のタイプのグループのメンバー（企業の従業員、同じクラスの生徒など）が他のメンバーの経験を通知し続けるための技術を等しく利用可能であるという理解において、家族構成員が参照される。
【００３５】
後述されるシステムは、地理的に分散した家族構成員が他の構成員の最新の活動を維持するのを支援する。現代社会では、人々の個人的な独立性と忙しいスケジュールとが、家族との交流に対して負の効果を有することがあり、家族構成員は、多くの理由のため一緒にいることや頻繁な通信が制限されてもよい。特に、それは、成長した子供を持つ親が子供や孫の所在や経験を知ることを可能にする。それは、最小限の労力により親によってアクセス可能であって、ＳＭＳ（Ｓｈｏｒｔ  Ｍｅｓｓａｇｅ  Ｓｅｒｖｉｃｅ）、写真、ビデオスライドショーなどの通信方法と比較して、連結性の感覚を向上させるコンテンツデータの編集を提供する。それはまた、関連する時点及び頻繁な時点において電子メール、写真又はビデオなどのデータアイテムを家族構成員が送信することのみに依拠しない。代わりに、システムは、家族構成員をインタビューし、システムへのコンテンツの送信を促すことによって、家族のニュースをアクティブに検出する。インタビューの質問は、家族構成員がその日に何をしたか、他人に関心があると予想されるどんな経験をしたか思い出すことに役立つ。従って、システムは、システムへのコンテンツの送信を促し、利用頻度を経時的に一定に維持する。システムは、家族のニュースをテレビチャネルに類似したチャネルとして、又は利用性に対して若しくは受信者が“家族のニュース”をリクエストしたときなどに提供する。これは、親や祖父母などの家族構成員がリーンバックモードにより家族ニュースにアクセスすることを可能にする。家族ニュースへのアクセスを得るためのシステムとの複雑なやりとりは不要である。
【００３６】
後述される実施例では、家族ニュースは、バーチャルな家族ニュースレポーターに対応するアニメーション化されたアバタにより提供される。バーチャル家族ニュースレポートをアバタとして加えることによって、家族ニュースの提供は、スライドショーから視聴者に興味を持たせ続ける家族ニュースのより生活に近く見るのが楽しい家族ニュースの構成に変わる。一実施例では、家族ニュースレポートは、外部ソースから取得したニュースプログラムに埋め込まれ、これにより、家族ニュースはワールドニュースの一部となる。
【００３７】
図１の概略図に戻って、ニュースレポーターシステム１は、インターネットなどの超大規模エリアネットワーク２に接続される。システム１は、典型的には、少なくとも１つのデータ処理ユニット、メモリ及びデータ記憶装置（図示せず）を有するデータ処理システムを有する。さらに、ブロードキャストネットワーク４を介したデジタルテレビ受信機５，６へのビデオ送信を提供する送信ステーション３とのインタフェース（図示せず）を有する。ビデオ伝送は、オンデマンド、マルチキャスト伝送又はブロードキャスト伝送であってもよい。実施例では、要求されたアクセストークン（パスワード、スマートカードなど）を有するデジタルテレビ受信機５，６のユーザのみが家族ニュースチャネルを視聴できるように、家族ニュースチャネルは暗号化される。さらに又はあるいは、家族ニュースレポーターシステム１は、例えば、インターネットアクセスによりパーソナルコンピュータ７などに、ネットワーク２を介しオーディオビジュアルデータストリームとしてダウンロードするため家族ニュースを利用可能にすることができる。さらなる他の実施例では、家族ニュースレポーターシステム１は、ブロードキャストネットワーク４が実際に宅内ネットワークに対応するように、ホテル又は企業により運営される。さらなる他の実施例では、家族ニュースは、新聞に印刷された編集物として、任意的には他のニュースと一緒に利用可能とされる。従って、ホテル又はカンファレンスセンターが、家族ニュース及びワールドニュースを含むパーソナル化された新聞をゲストに提供するようにしてもよい。
【００３８】
図１に戻って、家族ニュースレポーターシステム１は、ネットワーク２を介し通信する装置からコンテンツデータアイテムを取得する。図１において、ネットワーク２に直接接続される２つの計算装置８〜１０が、一例として示される。スマートフォン１１は、携帯電話ネットワーク１２とゲートウェイ１３とを介しネットワーク２に接続され、コンテンツデータアイテムを送信するための同様に利用可能である。
【００３９】
スマートフォン１１は、携帯電話ネットワーク１２を介し音声データを含むデータを交換する送受信機１４を有する。さらに、スマートフォン１１の現在位置を表すデータを提供するＧＰＳ受信機１５を有する。カメラ１６が、ビデオを構成するデジタルイメージシーケンスを含むデジタルイメージを記録するため備えられる。音声通信は、マイクロフォン１７とスピーカー１８を用いて実行される。概略的に示される実施例では、スマートフォン１１はさらに、タッチ画面インタフェースを有する実施例では、データ処理ユニットメモリ２０と共に、ビジュアル表示ユニット２１とを含む。
【００４０】
スマートフォン１１を利用して、ユーザは、コンテンツデータアイテム、特にオーディオ、ビデオ、テキスト及びイメージデータの少なくとも１つを有するファイルを家族ニュースレポーターシステム１に送信可能である。スマートフォン１１の機能に依存して、コンテンツデータアイテムは、ウェブインタフェースや専用インタフェースを介したアップロードとしてＭＭＳ（Ｍｕｌｔｉｍｅｄｉａ  Ｍｅｓｓａｇｉｎｇ  Ｓｙｓｔｅｍ）メッセージや電子メールにより送信される。それらは、スマートフォン１１自体の識別情報（ネットワークアドレスや電話番号など）を介し、又はユーザがユーザ名をスマートフォン１１に提供しているため、スマートフォン１１のユーザの身元と関連付けされる。ユーザによって自発的に送信されるコンテンツデータアイテムに対して、家族ニュースレポーターシステム１には、コンテンツデータアイテムと共に提供されるデータを介し関連する家族構成員にコンテンツデータアイテムをリンクさせることを可能にするインタフェースが設けられる。家族ニュースレポーターシステム１の促しにより提供されるコンテンツデータアイテムについて、家族ニュースレポーターシステム１は、コンテンツデータアイテムを送信した家族構成員の身元をすでに知っている。ユーザは、家族ニュースレポートが編集されたときのそれの受信優先度及び／又は家族ニュースレポートの当該部分に追加される付加データ（ビデオクリップへのボイスオーバとしての特別なアナウンスメントなど）を生じさせる“ブレーキングニュース（ｂｒｅａｋｉｎｇ  ｎｅｗｓ）”としてコンテンツデータアイテムをタグ付けする選択を有する。
【００４１】
一実施例では、スマートフォン１１は、スマートフォン１１にインストールされた適切なソフトウェアを介しコンテンツデータアイテム又は他の情報を家族ニュースレポーターシステム１に提供するよう自動的に設定される。従って、ＧＰＳにより生成される位置データが送信可能であり、ユーザのカレンダーが同期可能であり、又はメモリ２０に格納されているイメージ及びビデオが自動的にアップロード可能である。他の実施例では、周辺温度や他の気象パラメータを含む他の状況データが自動送信可能である。さらなる他の実施例では、スマートフォン１１は、それの環境において他の家族構成員に関する装置を検出するよう構成され、この情報は家族ニュースレポーターシステム１に送信される。
【００４２】
家族ニュースレポーターシステム１は、対話における家族構成員からの貢献を取得するよう構成される。図２は、第１タイプの対話を示す、ここでは、家族ニュースレポーターシステム１が、コンテンツデータアイテムをアップロードするリクエスト、特にオーディオ、ビデオ、テキスト及びイメージデータの少なくとも１つを含むファイルを送信するリクエストを家族構成員に送信する。
【００４３】
図示された実施例では、家族ニュースレポーターシステム１は、各家族構成員のスケジュールを含むデータベース２２を維持する。各スケジュールは、関係する家族構成員により実行された又は計画された活動の特徴を少なくとも表す情報を含む。特徴としては、開始時間、終了時間、日付、活動のタイプ、位置、関係した他の人々の身元などがあげられる。家族ニュースレポーターシステムは、スマートフォン１１及び計算装置８〜１０により格納されているカレンダー及び他のデータとスケジュールとを同期させることによって、このようなスケジュールを維持することができる。他の実施例では、データベース２２は、グループの少なくとも１人のメンバーに関するさらなるデータを、当該メンバーに関する装置の使用ログの形態により含む。例えば、データベース２２は、スマートフォン１１のカメラにより撮影された写真のリストによって定期的に更新可能である。このような更新は、自動的に実行可能である。
【００４４】
家族ニュースレポーターシステム１は、スマートフォン１１のユーザなどの特定のユーザに関するデータベース２２内の情報を解析する（ステップ２３）。このような解析は、例えば、定期的なインターバルにより実行可能である。この解析に基づき、家族ニュースレポーターシステム１は、関係する家族構成員からのコンテンツデータアイテムをリクエストするか判断する（ステップ２４）。リクエストを送信するか否かを判断するファクタは、コンテンツデータアイテムがすでに受信されたか、いくつのコンテンツデータアイテムがすでに受信されたか、直近の活動があったか、又は活動が現在継続中であるかなどを含む。計画された活動を家族構成員に思い出させるのでなく、家族ニュースレポーターシステム１は、家族ニュースチャネルに貢献を送信するよう家族構成員に思い出させるよう動作する。従って、システム１は、活動が開始された後にのみ、いくつかの状況では活動が終了された後にのみ、肯定的な判定をする。一実施例では、家族ニュースレポーターシステム１は、活動時間以外の情報を利用して、活動中又は活動後にメッセージを提供するか判断する。一実施例では、このステップ２４は、誰にメッセージを送信すべきか判断することを含む。従って、スケジュールが、共通の活動に複数の家族構成員が関与したことを示す場合、それぞれにメッセージを送信可能である。
【００４５】
メッセージを送信することが決定された場合、メッセージが構成される（ステップ２５）。メッセージの構成は、先行するステップ２３において実行された解析結果に応じて変わる。メッセージは、メッセージ送信の決定が基づいたデータを参照するよう構成される。例えば、メッセージは、ある活動の日時又は位置を参照することによって、スケジュールにおける当該活動に関するコンテンツデータアイテムを送信するための利用を求めることができる。
【００４６】
その後、メッセージは、例えば、スマートフォン１１のユーザなどに適切なフォーマットにより提供される（ステップ２６）。メッセージを提供するのに選ばれるモダリティは、変更可能である。従って、一実施例では、ユーザは通話を受信し、メッセージがテキスト音声コンバータを用いて提供される。他の実施例では、ユーザは、スマートフォン１１の表示ユニット２１上でテキストメッセージを受信する。発展的な実施例では、家族ニュースレポーターを表すアバタが、メッセージをユーザに提供するため表示ユニット２１上に出現する。
【００４７】
家族ニュースレポーターシステム１は、メッセージに応答して、コンテンツデータアイテムの形式により、特に、オーディオ、ビデオ、テキスト及びイメージデータの少なくとも１つを含むファイルの形式により情報を受信する（ステップ２７）。このコンテンツデータアイテムは、家族ニュースプログラムの一部を構成するため、付加データと合成される（ステップ２８）。特に、以前のステップ２６に提供されるメッセージを生じさせるのに用いられるデータは、サブタイトル又はコンテンツデータアイテムの音声を提供するのに利用可能である。その後、当該部分は、家族ニュースレポートを構成する編集物に追加される（ステップ２９）。このステップ２９は、家族構成員から情報を取得するさらなる方法が図３を参照して説明された後に、以降において詳細に説明される。
【００４８】
図３は、図２の方法の最初の５つのステップ２３〜２７が実行された後又は自らの一致でコンテンツデータアイテム、特にオーディオ、ビデオ、テキスト及びイメージデータの少なくとも１つを含むファイルを送信した後の家族ニュースレポーターシステム１と家族構成員との間の対話を示す。
【００４９】
コンテンツデータアイテムを受信すると（ステップ３０）、家族ニュースレポーターシステム１は、取得したコンテンツデータに含まれるデータと、取得したコンテンツデータに含まれるデータに関するメタデータとの少なくとも１つを解析する（ステップ３１）。イメージファイルのケースでは、当該解析は、例えば、写真内に建物があるかなどを決定するための画像解析、又は画像内に何れか既知の人がいるか決定するための顔認識解析とすることが可能である。音声情報を含むファイルのケースでは、音声認識が誰が話しているか決定するため適用可能である。
【００５０】
次に、家族ニュースレポーターシステム１は、スマートフォン１１などの家族構成員にメッセージを送信するか決定する（ステップ３２）。この決定は、以前のステップ３１の解析結果に基づく。例えば、建物が写真に存在すると判断されたが、システム１がそれを認識できなかった場合、メッセージがユーザに送信されるべきであると決定する。同様に、オーディオトラックの音声がユーザのものでないと判断された場合、家族ニュースレポーター１は、発話者が誰であったか、又は発話者と家族構成員との間に何れの関係があるか求めることが適切であると判断できる。
【００５１】
メッセージが送信されるべきであると判断された場合、メッセージが構成及び送信される（ステップ３３）。メッセージの構成はまた、以前のステップ３１で行われた解析に依存し、これにより、メンバーから取得したコンテンツデータアイテムとコンテンツデータアイテムに関するメタデータとの少なくとも１つが、家族構成員に関する少なくとも１つの装置上に取得されるメッセージのコンテンツを決定するのに利用される。
【００５２】
一実施例では、家族構成員はテキストメッセージを受信する。他の実施例では、家族ニュースレポーターシステム１は、架空の人間のモデル（家族ニュースレポーター）とテキスト音声変換技術とを利用して、音声メッセージを家族構成員に提供する。家族ニュースレポーターシステム１は、例えば、スマートフォン１１を呼び出すことが可能である。
【００５３】
その後、ユーザは、リクエストされた情報によりレスポンスを提供する（ステップ３４）。このレスポンスは、テキストメッセージ又は音声メッセージの形式とすることができる。家族ニュースレポーターシステム１は、当該レスポンスに対して音声認識を実行した後に情報を処理する。
【００５４】
図示された実施例では、家族構成員から取得したレスポンスに応じて対話のための準備がなされる。この変形では、家族ニュースレポーターシステム１は、家族構成員（又は他の家族構成員）へのさらなるメッセージが所望されるか又は必要であるか判断するため、レスポンスを解析する。そうである場合、家族ニュースレポーターシステム１は、さらなるメッセージを構成及び送信し（ステップ３５）、家族構成員からさらなるレスポンスを取得する（ステップ３６）。
【００５５】
さらなるメッセージが送信又は受信されない場合、レスポンスからのデータが、家族ニュースレポートを構成するためコンテンツデータ編集物の一部を生成するため、第１ステップ３０において受信したコンテンツデータアイテムと合成される（ステップ３７）。
【００５６】
一変形では、ライブの解説が家族構成員により送信されたビデオ又は他のコンテンツデータアイテムにより家族構成員より提供可能であるという意味で、最後のステップ３７が再帰的ループ内に含まれる。当該メッセージ及びレスポンスは家族ニュースチャネル上でほぼリアルタイムに送信される。
【００５７】
家族ニュースレポートがまず構成され、その後に送信される場合、図３に示される最後のステップ３７は、図２に示される最後のステップ２９と同様のステップに続き、異なる家族構成員により送信される異なるコンテンツデータアイテムに基づく部分が最終的なコンテンツデータ編集物に合成され、何れの家族構成員によっても送信されない付加題材がまた追加可能である。このステップ２９において、家族ニュースレポーターシステム１は、すべての入力（コンテンツデータアイテムとメッセージに対するレスポンス）を収集し、それから新たなプログラムを構成する。これは、音声認識や顔認識などの技術を用いて関連する題材を一緒にクラスタリング及びリンクすることを含む。これらのリンクは、題材の時間及びデータ、題材に関するジオタグ、テキスト入力のセマティックなクラスタリング、視覚的題材（イメージ及びビデオ）における関連する顔の間に確立されたリンク、及び音声題材における関連する音声の間に確立されたリンクの少なくとも１つに基づく。
【００５８】
ニュースプログラムをより面白くするため、バーチャルな家族ニュースレポーターがニュースを提供する。題材は、人間のモデルに基づくデータにより拡張される。家族ニュースプログラムのケースでは、これはアバタである。コンテンツデータアイテムと関連するメタデータとの解析結果として取得される情報は、メッセージに応答して取得される情報とデータベース２２からのスケジューリングデータと共に、アバタの出力のセマティックコンポーネントを提供するのに利用される。
【００５９】
さらに、コンテンツデータアイテム間の移行、特に視覚情報を有する移行が追加される。上述されるように、特別なタイプの移行は、高優先度又は“ブレーキングニュース”としてマーク付けされるコンテンツデータアイテムに提供可能である。
【００６０】
この結果は、家族構成員に、特にリニア的なレンダリングのため、すなわち、情報におけるナビゲーションを必要としない親や祖父母にストリーミング可能なオーディオビジュアルコンテンツデータ編集物である。
【００６１】
上述された実施例は本発明を限定することなく例示するものであり、当業者は添付した請求項の範囲から逸脱することなく他の多数の実施例を構成可能であることに留意すべきである。請求項において、括弧内に置かれる参照符号は請求項を限定するものとして解釈されるべきでない。“有する”という単語は、請求項に列記された以外の要素又はステップの存在を排除するものでない。要素に先行する“ある”という単語は、このような要素が複数存在することを排除するものでない。ある手段が互いに異なる従属クレームに記載されるという事実は、これらの手段の組み合わせが効果的に利用可能でないことを示すものでない。
【００６２】
家族ニュースレポーターシステム１により実行される機能はまた、計算装置８，９又はスマートフォン１１上でローカルに実行可能である。特に、計算装置８，９又はスマートフォン１１の１つは、他のグループメンバーからの貢献を収集し、コンテンツデータ編集物をローカルにのみ利用可能にすることができる。
【００６３】
あるユーザは、複数の社会的グループに属することが可能である。これを許容するため、人々は複数のニュースチャネルを有し、複数の二と人からニュースアイテムを購読可能である。家族ニュースレポーターシステム１は、複数のグループのためのニュースプログラムを利用可能にすることができる。一実施例では、１人のユーザの貢献が、ユーザがメンバーとなっている複数のグループのコンテンツデータ編集物を生成するのに利用される。
【国際調査報告】
2012526317.tif 000006
2012526317.tif 000007